(57)【要約】【課題】効果的な防滴が図れ、操作つまみの操作性が良く、装置の小型化を図ることもできる電子部品の防滴構造を提供すること。【解決手段】第１，第２ケース２０，７０の開口Ｈ１の周囲と、カバー３００の露出口３０５の周囲間に、パッキン２５０（２５０ａ〜２５０ｄ）を挟持し、これによってカバー３００の露出口３０５から第１，第２ケース２０，７０とカバー３００の間を通して液体が浸入するのを防止する。操作つまみ１００の回路基板１６０側の側面から軸部１１１を突出し、この軸部１１１を、第１ケース２０の軸受部２１内に回動自在に挿入し、軸部１１１を挿入した軸受部２１の先端側部分にグリスＧの充填等によって防滴処理部Ｂ１を設ける。【選択図】図２
2018026328.tif 000002
【特許請求の範囲】
【請求項１】
回路基板の一方の面側に、軸を中心に円運動または円弧運動または揺動運動する操作つまみを設置し、操作つまみと回路基板の間に操作つまみの前記運動に応じて出力を変化する検出手段を設け、少なくとも前記操作つまみをケース内に収納し、ケースに設けた開口から前記操作つまみの外周の操作部の一部を露出し、さらに前記ケースの開口を設けた面の外周側を覆うように取り付けられ且つ前記操作つまみの操作部の一部を露出する露出口を有するカバーを取り付けてなる電子部品の防滴構造において、
前記ケースの開口の周囲と、前記カバーの露出口の周囲間に、防滴部材を挟持し、これによって前記カバーの露出口からケースとカバーの間を通して液体が浸入するのを防止することを特徴とする電子部品の防滴構造。
【請求項２】
請求項１に記載の電子部品の防滴構造であって、
前記操作つまみの前記回路基板側の側面から軸部を突出し、この軸部を、前記ケースの前記検出手段を設置した周囲の位置から突出する軸受部内に回動自在に挿入し、前記軸部を挿入した軸受部の先端側部分に防滴処理部を設けたことを特徴とする電子部品の防滴構造。
【請求項３】
請求項１又は２に記載の電子部品の防滴構造であって、
前記操作つまみの前記軸部を設けた面側に位置する防滴部材は、前記操作つまみの外周の操作部に沿う位置に設置され、
一方、前記操作つまみの前記軸部を設けた面の反対面側に位置する防滴部材は、前記操作つまみの軸の近傍に設置されていることを特徴とする電子部品の防滴構造。
【請求項４】
請求項１又は２又は３に記載の電子部品の防滴構造であって、
前記操作つまみの前記軸部を設けた面の反対側の面には、円状の凹部を設け、
一方、この面に対向するケースの面には、前記凹部内に挿入される筒状の突出部を設け、
これら凹部と突出部を噛み合わせることを特徴とする電子部品の防滴構造。
【発明の詳細な説明】
【技術分野】
【０００１】
本発明は、操作つまみを有する電子部品の防滴構造に関するものである。
【背景技術】
【０００２】
従来、回転式電子部品の中には、例えば特許文献１に示すように、回転式電子部品（１）の回転つまみ（３０）の外周部分の一部を外ケース１００に設けた開口（１０５）から外部に露出し、回転つまみ（３０）の前記開口（１０５）から露出した部分を指等で回転操作することで、本体ケース（１０）内の図示しない電気的機能部を駆動し、その検出出力を変化させる構造のものがあった。
【０００３】
そして前記開口（１０５）と回転つまみ（３０）の間の隙間から液体が浸入して前記電気的機能部に付着しないように、前記開口（１０５）と回転つまみ（３０）の間の隙間を塞ぐゴム状防滴板（６０）を設置することで防滴構造を構成している。
【０００４】
一方特許文献２においては、防滴のため、電気的機能部の部分を覆う防水ケース（１２０）等を設置している。
【先行技術文献】
【特許文献】
【０００５】
【特許文献１】特開２０１１−１３４５７３号公報
【特許文献２】特開２０１０−９９３７号公報
【発明の概要】
【発明が解決しようとする課題】
【０００６】
しかしながら、上記特許文献１の場合、ゴム状防滴板（６０）が回転つまみ（３０）に触れるため、回転つまみ（３０）の操作性が悪くなってしまう。
【０００７】
また、上記特許文献２の場合、別途防水ケース（１２０）等を使用する必要があるため、部品点数が増え、また回転式電子部品自体も大型化してしまう。
【０００８】
本発明は上述の点に鑑みてなされたものでありその目的は、効果的な防滴が図れ、同時に操作つまみの操作性が良く、また装置の小型化を図ることもできる電子部品の防滴構造を提供することにある。
【課題を解決するための手段】
【０００９】
本発明は、回路基板の一方の面側に、軸を中心に円運動または円弧運動または揺動運動する操作つまみを設置し、操作つまみと回路基板の間に操作つまみの前記運動に応じて出力を変化する検出手段を設け、少なくとも前記操作つまみをケース内に収納し、ケースに設けた開口から前記操作つまみの外周の操作部の一部を露出し、さらに前記ケースの開口を設けた面の外周側を覆うように取り付けられ且つ前記操作つまみの操作部の一部を露出する露出口を有するカバーを取り付けてなる電子部品の防滴構造において、前記ケースの開口の周囲と、前記カバーの露出口の周囲間に、防滴部材を挟持し、これによって前記カバーの露出口からケースとカバーの間を通して液体が浸入するのを防止することを特徴としている。
これによって、カバーの露出口からケースとカバーの間を通してその内部に浸入しようとする液体を効果的に防滴することができる。しかも操作つまみを回転する際に、防滴部材は全く操作つまみに当接しないので、操作つまみの操作性が悪くなることもない。
防滴部材としては、リング形状の弾性材等が好適であるがそれ以外の形状、構造、材質の防滴部材であっても良い。また必ずしもカバーの露出口（またはケースの開口）の全周を囲む構成でなくても良く、その一部のみに設置しても良い。
【００１０】
また本発明は、前記操作つまみの前記回路基板側の側面から軸部を突出し、この軸部を、前記ケースの前記検出手段を設置した周囲の位置から突出する軸受部内に回動自在に挿入し、前記軸部を挿入した軸受部の先端側部分に防滴処理部を設けたことを特徴としている。
これによって、前記防滴部材によっては防滴されない、ケースの開口からケース内に浸入した液体も、ケース内の軸受部の先端側部分でその浸入が阻止され、これによって検出部及び回路基板への液体の浸入をさらに効果的に防止することができる。
防滴処理部としては、グリスの塗布、パッキン設置等、各種の防滴構造が考えられる。グリスやパッキン等は、軸受部の内周面側、先端面側、外周面側の何れに設けても良い。
【００１１】
また本発明は、前記操作つまみの前記軸部を設けた面側に位置する防滴部材が、前記操作つまみの外周の操作部に沿う位置に設置され、一方、前記操作つまみの前記軸部を設けた面の反対面側に位置する防滴部材が、前記操作つまみの軸の近傍に設置されていることを特徴としている。
回路基板がある側の防滴部材は、操作つまみの外周の操作部近傍の位置（浸入直後の位置）で液体の浸入が阻止される。一方、回路基板がない側の防滴部材は、操作つまみの外周の操作部から離れた操作つまみ側面の中央付近で防滴される。つまり、回路基板がある側は、カバーの露出口近傍位置で防滴を行うことで、防滴効果が高められる。一方回路基板から離れている操作つまみの反対側の部分では、操作つまみの操作部よりも後方（下方）の位置に防滴部材を設置するので、カバーの露出口近傍部分の幅寸法を小さくできる。カバーの露出口近傍部分は、この電子部品を搭載する電子機器の操作パネルに露出する部分であるが、この部分の幅寸法を小さくできることで、電子機器の操作パネルの小型化・薄型化を図ることもできる。
【００１２】
また本発明は、前記操作つまみの前記軸部を設けた面の反対側の面に、円状の凹部を設け、一方、この面に対向するケースの面に、前記凹部内に挿入される筒状の突出部を設け、これら凹部と突出部を噛み合わせることを特徴としている。
これによって、ケースの開口からケースと操作つまみの間の隙間への液体の浸入が規制され、これによってさらに回路基板への液体の浸入を効果的に防止することができる。
【発明の効果】
【００１３】
本発明によれば、効果的な防滴が図れ、同時に操作つまみの操作性が良く、また装置の小型化を図ることも可能となる。
【図面の簡単な説明】
【００１４】
【図１】回転式電子部品１の斜視図である。
【図２】回転式電子部品１の概略断面図（図１のＡ−Ａ概略断面図）である。
【図３】本体ユニット１０とカバー３００と防滴部材２５０の分解斜視図である。
【図４】回転式電子部品１からカバー３００を取り外した状態を示す分解斜視図である。
【図５】本体ユニット１０の分解斜視図である。
【図６】本体ユニット１０を別の角度から見た分解斜視図である。
【図７】カバー３００を後側の下側から見た斜視図である。
【図８】回転式電子部品１内への液体の浸入経路Ｌ１〜Ｌ３を示す図である。
【発明を実施するための形態】
【００１５】
以下、本発明の実施形態を図面を参照して詳細に説明する。図１は本発明の１実施形態を用いて構成された電子部品（以下「回転式電子部品」という）１の斜視図、図２は回転式電子部品１の概略断面図（図１のＡ−Ａ概略断面図）、図３は回転式電子部品１を構成する本体ユニット１０とカバー３００と防滴部材（以下「パッキン」という）２５０とを分解して示す斜視図、図４は本体ユニット１０にパッキン２５０とカバー３００とを装着する手順を示す斜視図、図５は本体ユニット１０の分解斜視図、図６は本体ユニット１０を別の角度から見た分解斜視図である。これらの図に示すように回転式電子部品１は、各種部品を収納した本体ユニット１０と、本体ユニット１０の操作つまみ１００を突出する側の面を覆うカバー３００とを具備して構成されている。なお以下の説明において、「上」とは本体ユニット１０からカバー３００を見る方向をいい、「下」とはその反対方向をいうものとする。また「前」とは下記する第１ケース２０から操作つまみ１００側を見る方向をいい、「後」とは第１ケース２０から下記する回路基板１６０を見る方向をいうものとする。
【００１６】
図１〜図６に示すように本体ユニット１０は、第１ケース２０と第２ケース７０の間に、摺動子１３０を取り付けた操作つまみ１００を収納し、また第１ケース２０の反対面側に、端子ユニット１４０を収納し、その上から回路基板１６０と、導光体１９０と、第３ケース２２０とを設置して構成されている。また回転式電子部品１は、この本体ユニット１０にパッキン２５０とカバー３００とを装着して構成されている。
【００１７】
第１ケース２０は合成樹脂を略矩形箱型に成形した成形品であり、その上部中央に略円筒状の軸受部２１を設け、この軸受部２１の操作つまみ１００を向く側に凹部からなる第１収納部２３を、回路基板１６０を向く側に凹部からなる第２収納部２５を設けて構成されている。第１ケース２０の左右両側面の第１収納部２３側の部分には、下記する第２ケース７０の爪部７９を係止する矩形状の貫通孔からなる一対の被係止部２７が設けられている。また第１ケース２０の左右両側面の第２収納部２５側の部分には、下記する第３ケース２２０の爪部２２３を係止する矩形状の貫通孔からなる一対の被係止部２９が形成されている。また第１ケース２０の左右両側面の前記両被係止部２７，２９の間の位置には、下記するカバー３００の被係止部３０９を係止する爪状の一対の係止部３０が形成されている。軸受部２１の下方には、後方に向かって開口する略矩形状の端子ユニット収納部３１が形成されている。また前記軸受部２１の上面の中央部分の円弧面部分と、その左右両側の第１収納部２３側に突出する上辺部分は防滴部材搭載面（以下「パッキン搭載面」という）３３（３３ａ〜３３ｃ）となっており、前記円弧面部分を中央の軸受部側防滴部材搭載面３３ａとし、その両側の直線状部分を左右側パッキン搭載面３３ｂ、３３ｃとしている。また下記する操作つまみ１００のストッパ部１２９を当接してそれより上方向への移動を阻止する左右一対のストッパ係止部３５（図５では一方のみ示す）が形成されている。また図示はしていないが、第１収納部２３内の軸受部２１を設けた面の下方（下記するクリック用ボール１２７に対向する位置）には、円弧状方向（クリック用ボール１２７の移動する円弧方向）に向かって凹凸するクリック係合部が形成されている。
【００１８】
第２ケース７０は、合成樹脂を一体成形して構成されており、略平板矩形状のケース本体部７１と、ケース本体部７１の上部中央から操作つまみ１００側に向けて突出する円板状のつまみ支持部７３とを具備して構成されている。つまみ支持部７３の操作つまみ１００側の面の外周部分には円筒状に突出する突出部７４が設けられ、またその内側中央には、有底円筒状の突出部７５が突出して設けられている。ケース本体部７１の左右両側辺からは、操作つまみ１００側に向けて一対の係止爪７７が突出している。係止爪７７は平板状であり、その先端近傍の両外側位置に爪部７９を設けている（図５，図６では一方のみ示す）。またケース本体部７１の上辺は、下記するパッキン２５０を当接する反軸受部側パッキン搭載面８１となっている。
【００１９】
操作つまみ１００は合成樹脂の成形品であり、透明材料と非透明材料からなる二色成形品である。操作つまみ１００は略円板形状であり、その外周面が操作部１０１となっている。操作つまみ１００の第２ケース７０側を向く面には、円形の凹部１０３が設けられ、凹部１０３内には、２つの筒状の突出部１０５，１０７が同心円状に突設されている。両突出部１０５，１０７の間の円形の凹部は、前記第２ケース７０の突出部７５を挿入する挿入部（凹部）１０９となっている。また凹部１０３には、第２ケース７０のつまみ支持部７３の突出部７４が挿入される。また突出部１０７中央の凹部の底面は、略円錐凹状の光反射面１１０となっている。操作つまみ１００の第１ケース２０側を向く面の中央からは、略円柱形状の軸部１１１が突出している。軸部１１１の上面は摺動子取付面１１３となっており、さらに摺動子取付面１１３の中央からは円錐台形状の導光用突起１１５が突出している。導光用突起１１５の先端面は光導入面１１７になっている。摺動子取付面１１３上には、小突起からなる摺動子取付突部１１９が形成されている。軸部１１１の周囲には、リング状の防滴用凹部１２１が形成されている。また操作つまみ１００の第１ケース２０側を向く面の外周部分には、有底円形の穴からなるクリック機構収納部１２３が形成されている。クリック機構収納部１２３には、コイルバネ１２５とクリック用ボール１２７とが収納される。またクリック機構収納部１２３を設けたその外周部分は、操作つまみ１００の外周から外方に膨らんでおり、膨らんだ部分をストッパ部１２９としている。また操作つまみ１００は、図２に示すように、２種類の樹脂Ａ１，Ａ２を一体成形することによって構成されている。一方の樹脂Ａ１は透明な樹脂であり、もう一方の樹脂Ａ２は不透明な樹脂である。透明な樹脂Ａ１は、その全体が導光部を構成し、操作部１０１の外周面と、導光用突起１１５の光導入面１１７間を光学的に結ぶように成形されている。
【００２０】
摺動子１３０は、弾性金属板製であって、基部１３１と、基部１３１の外周からアーチ状に突出してそれらの根元部分を折り返してなるアーム部１３３とを具備している。アーム部１３３の中央には、回路基板１６０側に向けて突出するように屈曲する接点部１３５が形成されている。また基部１３１には、小孔からなる取付孔１３７が形成されている。
【００２１】
端子ユニット１４０は、６本の金属板製の端子１４１を、略矩形状の成形樹脂製の端子用ケース１４３と略四角柱状の端子保持ケース１４５にインサート成形して構成されている。各端子１４１の一端は端子用ケース１４３の後方の面から１列に６本突出しており、他端側は端子用ケース１４３の側面から突出して下方向に屈曲し、端子保持ケース１４５で固定された後にその先端が端子保持ケース１４５の下面から一列に６本突出している。
【００２２】
回路基板１６０は、硬質で略矩形状の板からなる絶縁基板１６１の上部に、円形の貫通孔１６３を設け、この貫通孔１６３の周囲の前面側に、前記摺動子１３０の接点部１３５を摺接させる摺接パターン１６５を形成し、また絶縁基板１６１の下辺近傍に横一列に前記端子１４１の一端を挿入する６つの小孔からなる端子挿入孔１６７を形成し、さらに絶縁基板１６１の後面側の前記貫通孔１６３の下部に発光素子１６９を取り付け、また所定位置に他の各種電子部品１７１を取り付けて構成されている。絶縁基板１６１上には、図示しない回路パターンが形成されており、前記摺接パターン１６５や発光素子１６９や各種電子部品１７１や前記端子挿入孔１６７に取り付けられる端子１４１間を電気的に接続する。摺接パターン１６５としては、スイッチパターンや抵抗体パターン等の種々のパターンが適用できる。
【００２３】
導光体１９０は、透明な合成樹脂を、前面が解放された略矩形箱型に一体成形して構成されている。導光体１９０の前面側は凹状の基板収納部１９１となっており、その底面の上部から円柱状の突出部１９３を突出している。基板収納部１９１は、前記回路基板１６０全体を収納して覆う形状に形成されている。突出部１９３は前記回路基板１６０の貫通孔１６３に挿入できる寸法に形成されており、その先端面は光放出面１９５となっている。また導光体１９０の上端辺も光放出面１９７となっている。
【００２４】
第３ケース２２０は、略平板矩形状であり、前記第１ケース２０の後面を略覆う外形形状に形成されている。第３ケース２２０の左右両側辺からは、第１ケース側に向けて一対の係止爪２２１を突出している。係止爪２２１は平板状であり、その先端近傍の両外側位置に爪部２２３を設けている。
【００２５】
図３に示すように、パッキン２５０は、エラストマー等の弾性体を、横断面円形で略矩形のリング状に形成し、前方側の辺と左右両側辺を直線状に、後方側の辺を上方向に円弧状に湾曲した形状として構成されている。そして、円弧状に湾曲した部分を軸受部側パッキン２５０ａ、左右両側の部分を左右側パッキン２５０ｂ，２５０ｃ、前方側の部分を反軸受部側パッキン２５０ｄとしている。
【００２６】
図７はカバー３００を後側の下側から見た斜視図である。同図及び図２，図３等に示すように、カバー３００は、合成樹脂の成形品であり、下面が解放された略矩形箱型に成形して構成されており、これによってカバー３００の下面に本体ユニット１０の上部の部分を覆って収納するケース本体収納部３０１を形成している。カバー３００の上面（化粧面）３０３の前記操作つまみ１００に対向する位置には、操作つまみ１００の操作部１０１の一部を露出する露出口３０５が形成され、また前記導光体１９０の光放出面１９７に対向する位置には、照光部３０７が形成されている。照光部３０７は、カバー３００を構成する透明な成形樹脂の表面に塗布した不透光性の塗装を、所望の文字や記号等の形状に切り欠くことによって形成されているが、他の種々の方法によって形成しても良い。またカバー３００の左右両側面には、それぞれ前記第１ケース２０の係止部３０を係止する矩形状の貫通孔からなる被係止部３０９が形成されている。カバー３００の露出口３０５の周囲の裏面側には、露出口３０５を囲むように、防滴部材搭載面（以下「パッキン搭載面」という）３１１（３１１ａ〜３１１ｄ）が形成されている。パッキン搭載面３１１は、円弧状であって露出口３０５側に向けて凸となる軸受部側パッキン搭載面３１１ａと、その両側の直線状の左右側パッキン搭載面３１１ｂ，３１１ｃ（但し、３１１ｃは図示せず）と、反対側の略直線状の反軸受部側パッキン搭載面３１１ｄとを具備し、これらが１つの略矩形リング状（パッキン２５０と同様の形状）の面を形成するように構成されている。言い換えれば、軸受部側パッキン搭載面３１１ａは露出口３０５の円弧状の外周縁部形状に沿う位置に形成され、反軸受部側パッキン搭載面３１１ｄは露出口３０５の円弧状の外周縁部形状から離れた位置に形成されている。
【００２７】
次に、回転式電子部品１を組み立てるには、まず、本体ユニット１０を組み立てる。即ち予め、操作つまみ１００の摺動子取付面１１３に摺動子１３０の基部１３１を載置し、その際、摺動子取付面１１３の摺動子取付突部１１９を摺動子１３０の取付孔１３７に挿入し、その先端を熱カシメして（又は圧入のみで）取り付けておく。また操作つまみ１００の防滴用凹部１２１内に、防滴用のグリスＧを充填しておく。一方、端子ユニット１４０の後方から突出する各端子１４１の先端を、回路基板１６０の各端子挿入孔１６７に挿入し、その反対側において回路基板上の図示しない回路パターンに半田ｈ（図２参照）によって固定しておく。
【００２８】
そして、第１ケース２０の第１収納部２３内に、前記摺動子１３０を取り付け且つコイルバネ１２５とクリック用ボール１２７をクリック機構収納部１２３に収納した操作つまみ１００を収納し、その際、操作つまみ１００の軸部１１１を、第１ケース２０の軸受部２１内に回動自在に挿入し、軸支する。このとき、操作つまみ１００のグリスＧを充填した防滴用凹部１２１内に、第１ケース２０の軸受部２１が挿入されることで、防滴処理部Ｂ１が形成される。次に、前記操作つまみ１００の前方側の側面を覆うように、第２ケース７０を取り付け、係止爪７７の爪部７９を第１ケース２０の被係止部２７に係止し、これによって操作つまみ１００を挟んだ状態で第２ケース７０を第１ケース２０に取り付ける。このとき、第２ケース７０のつまみ支持部７３が操作つまみ１００の前方側の側面を覆い、その突出部７５が操作つまみ１００の挿入部１０９に挿入され、またその突出部７４が凹部１０３内に挿入される。
【００２９】
次に、前記端子ユニット１４０を取り付けた回路基板１６０と導光体１９０とを、第１ケース２０の第２収納部２５内に収納し、さらにその上から第３ケース２２０を被せる。そして第３ケース２２０の各爪部２２３を、第１ケース２０の各被係止部２９に係止し、これによって図３に示すような本体ユニット１０が完成する。
【００３０】
このとき、第１ケース２０と第２ケース７０の間の上面には開口Ｈ１が形成され、第１ケース２０と第３ケース２２０の間の上面には開口Ｈ２（図２参照）が形成される。そして開口Ｈ１内には、操作つまみ１００の操作部１０１の一部が露出（突出）する。また開口Ｈ２内には、導光体１９０の光放出面１９７が外部（上方）に突出するように露出する。また、図２に示すように、回路基板１６０の摺接パターン１６５には、摺動子１３０の接点部１３５が当接している。またこのとき、端子ユニット１４０は、端子ユニット収納部３１内に収納されている。またこのとき、導光体１９０の外周辺は、第１ケース２０の導光体１９０側を向く面に当接し、回路基板１６０を覆っている。また導光体１９０の突出部１９３は、回路基板１６０の貫通孔１６３に挿入され、その先端の光放出面１９５は操作つまみ１００の光導入面１１７に接近して対向している。
【００３１】
次に、図３に示すパッキン２５０を、カバー３００のケース本体収納部３０１内に挿入し、カバー３００のパッキン搭載面３１１（３１１ａ〜３１１ｄ）に当接・設置する。そして、このパッキン２５０を取り付けたカバー３００を、本体ユニット１０の上から被せるように取り付ける。即ち、カバー３００のケース本体収納部３０１内に本体ユニット１０の上部を収納し、その際、本体ユニット１０の各係止部３０を、カバー３００の各被係止部３０９に係止し、これによって回転式電子部品１の組み立てを完了する。なお上記組立手順はその一例であり、他の各種異なる組立手順を用いて組み立てても良いことはいうまでもない。例えば、パッキン２５０は、カバー３００側に取り付ける代わりに、本体ユニット１０側に取り付け、その後、カバー３００を被せるように構成してもよい。その際、本体ユニット１０のパッキン搭載面３３（３３ａ〜３３ｃ）及び反軸受部側パッキン搭載面８１の少なくとも一部に、パッキン２５０がずれないようにするためのリブ等を形成しておくことが好ましい。
【００３２】
図４は、前記組み立てた回転式電子部品１からカバー３００のみを取り外した状態を示す分解斜視図である。同図からもわかるように、回転式電子部品１のパッキン２５０は本体ユニット１０の第１，第２ケース２０，７０によって形成される開口Ｈ１の周囲に当接されている。即ち、パッキン２５０の軸受部側パッキン２５０ａの部分が第１ケース２０の軸受部側防滴部材搭載面３３ａに、左右側パッキン２５０ｂ，２５０ｃの部分が第１ケース２０の左右側パッキン搭載面３３ｂ、３３ｃに、反軸受部側パッキン２５０ｄの部分が第２ケース７０の反軸受部側パッキン搭載面８１上に当接されている。
【００３３】
また、図１，図２に示すように、操作つまみ１００の操作部１０１の一部は、露出口３０５から露出する。またカバー３００の照光部３０７の下面（裏面）に対向する位置に、導光体１９０の光放出面１９７が配置される。またこのとき、パッキン２５０の軸受部側パッキン２５０ａの部分はカバー３００の軸受部側パッキン搭載面３１１ａに、左右側パッキン２５０ｂ，２５０ｃの部分は左右側パッキン搭載面３１１ｂ，３１１ｃに、反軸受部側パッキン２５０ｄの部分は反軸受部側パッキン搭載面３１１ｄに、それぞれ当接し、前記本体ユニット１０のパッキン搭載面３３（３３ａ〜３３ｃ）と当接面８１との間で挟持され、密閉される。
【００３４】
以上のようにして組み立てられた回転式電子部品１において、操作つまみ１００を回転すると、摺動子１３０の接点部１３５が回路基板１６０の摺接パターン１６５上を摺動し、これによって各端子１３１間の検出出力が変化する。操作つまみ１００を回転する際、グリスＧによる適度な抵抗はあるものの、パッキン２５０は全く当接していないので、操作つまみ１００の回転に大きなトルクがかかってその操作性が悪くなることはない。なお、操作つまみ１００は、これを回転した際、そのストッパ部１２９（図６参照）が、第１ケース２０の第１収納部２３内に設けた左右一対のストッパ係止部３５（図５では一方のみ示す）に当接することで、約半回転以上回転しない。つまり操作つまみ１００は円弧運動をする。
【００３５】
また発光素子１６９を発光すれば、その光は図２に一点鎖線で示すように、導光体１９０内に導入されて反射されることで、前記光放出面１９７から放出されて前記カバー３００の照光部３０７をその裏面側から明るく照らし出す。一方、導光体１９０内で反射することで、前記光放出面１９５から放出された光は、操作つまみ１００の光導入面１１７から樹脂Ａ１内に導入され、その内部で反射することで、操作部１０１の外周面に導かれ、操作部１０１を明るく照らし出す。
【００３６】
一方、この回転式電子部品１は、図８に示すように、電子機器の操作パネルＣに装着される。その際、カバー３００の上面３０３が化粧面として、操作パネルＣの外部に露出する。そしてこの操作パネルＣの外部に露出した上面３０３に液体が降りかかることがある。降りかかった液体は、カバー３００の露出口３０５からその内部に浸入する。浸入した液体は、操作つまみ１００の操作部１０１の周囲から、矢印Ｌ１で示すようにカバー３００と第１ケース２０の間から回路基板１６０の側へ、また矢印Ｌ２で示すようにカバー３００と第２ケース７０の間から第２ケース７０の外表面の下端辺を通して操作つまみ１００側に回り込んで回路基板１６０側に、また矢印Ｌ３で示すように本体ユニット１０の開口Ｈ１内へ、それぞれ浸入しようとする。
【００３７】
しかしながら、この回転式電子部品１においては、矢印Ｌ１で示すようにカバー３００と第１ケース２０の間から回路基板１６０の側へ浸入しようとする液体は、軸受部側パッキン２５０ａの部分によってその浸入が阻止される。また矢印Ｌ２で示すようにカバー３００と第２ケース７０の間から第２ケース７０の外表面の下端辺を通して操作つまみ１００側に回り込んで回路基板１６０側に浸入しようとする液体は、反軸受部側パッキン２５０ｄの部分によってその浸入が阻止される。また矢印Ｌ３で示すように本体ユニット１０の開口Ｈ１内へ浸入した液体は、そのまま操作つまみ１００の周囲を通過して下側に排出されるが、摺動子１３０側に浸入しようとする液体は、防滴処理部Ｂ１によって、摺動子１３０側への浸入が阻止される。以上の各点から、カバー３００の露出口３０５から内部に浸入しようとする液体を効果的に防滴することができる。
【００３８】
以上説明したように、この回転式電子部品１は、回路基板１６０の一方の面側に、軸Ｋ１（図２参照）を中心に円運動（円弧運動や揺動運動を含む）する操作つまみ１００を設置し、操作つまみ１００と回路基板１６０の間に操作つまみ１００の前記運動に応じて出力を変化する摺動子１３０及び摺接パターン１６５からなる検出手段を設け、少なくとも前記操作つまみ１００を第１，第２ケース２０，７０内に収納し、第１，第２ケース２０，７０に設けた開口Ｈ１から前記操作つまみ１００の外周の操作部１０１の一部を露出し、さらに前記第１，第２ケース２０，７０の開口Ｈ１を設けた面の外周側を覆うように取り付けられ且つ前記操作つまみ１００の操作部１０１の一部を露出する露出口３０５を有するカバー３００を取り付け構成されており、前記第１，第２ケース２０，７０の開口Ｈ１の周囲と、前記カバー３００の露出口３０５の周囲間にパッキン２５０を挟持し、これによって前記カバー３００の露出口３０５から第１，第２ケース２０，７０とカバー３００の間を通して液体が浸入するのを防止することとしている。
【００３９】
また、操作つまみ１００の回路基板１６０側の側面から軸部１１１を突出し、この軸部１１１を、第１ケース２０の前記検出手段を設置した周囲の位置から突出する軸受部２１内に回動自在に挿入し、前記軸部１１１を挿入した軸受部２１の先端側部分に防滴処理部Ｂ１を設けたので、前記パッキン２５０によっては防滴されない、第１，第２ケース２０，７０の開口Ｈ１から第１，第２ケース２０，７０内に浸入した液体も、第１，第２ケース２０，７０内の軸受部２１の部分でその浸入が阻止される。これによって検出手段及び回路基板１６０への液体の浸入をさらに効果的に防止することができる。
【００４０】
また、操作つまみ１００の軸部１１１を設けた面側に位置するパッキン２５０（軸受部側パッキン２５０ａ）は、操作つまみ１００の操作部１０１に沿う位置に設置されている。これによって、回路基板１６０がある側の軸受部側パッキン２５０ａは、操作つまみ１００の操作部１０１近傍の位置（浸入直後の位置）で液体の浸入が阻止される。一方、操作つまみ１００の軸部１１１を設けた面の反対面側に位置するパッキン２５０（反軸受部側パッキン２５０ｄ）は、操作つまみ１００の軸Ｋ１の近傍に設置されている。これによって回路基板１６０がない側の反軸受部側パッキン２５０ｄは、操作つまみ１００の操作部１０１から離れた操作つまみ１００側面の中央付近で防滴を行う。つまり、回路基板１６０近傍部分では、カバー３００の露出口３０５近傍位置で防滴を行うことで、防滴効果が高められる。一方回路基板１６０から離れている操作つまみ１００の反対側の部分では、操作つまみ１００の操作部１０１よりも後方（下方）の位置に反軸受部側パッキン２５０ｄを設置するので、カバー３００の露出口３０５近傍部分の幅寸法Ｓ１（図８参照）を小さくすることができる。カバー３００の露出口３０５近傍部分は、この回転式電子部品１を搭載する電子機器の操作パネルＣに露出する部分であるが、この部分の幅寸法Ｓ１を小さくできることで、操作パネルＣ、さらにはこの操作パネルＣを設置した電子機器の小型化・薄型化等を図ることもできる。
【００４１】
また、操作つまみ１００の軸部１１１を設けた面の反対側の面には、円状の凹部１０３を設け、一方、この面に対向する第２ケース７０の面には、前記凹部１０３内に挿入される筒状の突出部７４を設け、これら凹部１０３と突出部７４を噛み合わせている。これによって、第１，第２ケース２０，７０の開口Ｈ１から浸入した液体の内、軸受部１１１とは反対側の面と第２ケース７０の間の隙間から液体が浸入することを抑制している。
【００４２】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態では防滴部材として弾性体をリング状に形成してなるパッキンを用いたが、それ以外の形状、材質、構造の防滴部材であっても良い。また必ずしもカバーの露出口（またはケースの開口）の全周を囲む形状でなくても良く、その一部のみに設置しても良い。即ち例えば、液体が回路基板側へ侵入するのを防ぐため、パッキンをカバーの軸受部側パッキン搭載面、及び反軸受部側パッキン搭載面にのみ当接するようにして、左右側パッキン搭載面にはパッキンを当接しなくてもよい。但し、パッキンをリング状に形成する方が組み立てがし易く、余分な隙間がなくなるため、カバーを本体ユニットにがたつきなく取り付けることができる。また上記実施形態では防滴処理部を、グリスを塗布することで構成したが、パッキンを設置する等、他の各種の防滴手段を用いて防滴処理部を構成してもよい。また上記実施形態では操作つまみの回動角度をストッパ機構によって規制したが（円弧運動）、３６０°回転可能（回転運動）に構成しても良く、また回転以外の揺動運動自在に構成しても良い。また上記実施形態では、カバーの露出口が真上方向を向くように設置したが、別の方向（例えば、斜め上方や水平方向や斜め下方等）を向くように設置しても良い。
【００４３】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００４４】
１  回転式電子部品（電子部品）
２０  第１ケース（ケース）
２１  軸受部
７０  第２ケース（ケース）
１００  操作つまみ
１０１  操作部
１１１  軸部
１３０  摺動子（検出手段）
１６０  回路基板
１６５  摺接パターン（検出手段）
２５０  パッキン（防滴部材）
２５０ａ  軸受部側パッキン（防滴部材）
２５０ｄ  反軸受部側パッキン（防滴部材）
３００  カバー
３０５  露出口
Ｋ１  軸
Ｈ１  開口
Ｂ１  防滴処理部
【図１】
2018026328.tif 000003
【図２】
2018026328.tif 000004
【図３】
2018026328.tif 000005
【図４】
2018026328.tif 000006
【図５】
2018026328.tif 000007
【図６】
2018026328.tif 000008
【図７】
2018026328.tif 000009
【図８】
2018026328.tif 000010